(57)【要約】【課題】安全性及び機能性に優れたフットライト付きの手摺を提供する。【解決手段】ステンレススチール製等のストリップ材をロール成形手段を介してＣ字状の横断面形態を有するように成形加工することによって形成される型部材１１、型部材１１のＣ字状横断面部内へ押出成形手段またはインジェクション成形手段等を介して所定のプラスチック材を充填することによって形成されるベース部材１２、このようにして形成されたベース部材１２の上面部のところに接着手段等を介して設けられるものであって不透明体からなるストリップ状部材１３、からなる手摺用部材１を基礎に、当該手摺用部材１を形成する型部材１１下面側のところに、ＬＥＤにて形成されるフットライト２を、上記Ｃ型断面形状の型部材１１の、その長手方向に、等間隔状に複数個設ける。【選択図】図２
2010053580.tif 000002
【特許請求の範囲】
【請求項１】
長尺物からなる手摺用部材を基礎に形成されるものであって、その下側の適宜個所に複数のフットライトを有するフットライト付き手摺において、上記手摺用部材の下側に孔部を設けるとともに、当該孔部のところに、発光体及び当該発光体を保護するカバーからなるフットライトを、上記カバーを介して脱着可能なように取り付けるようにした構成からなることを特徴とするフットライト付き手摺。
【請求項２】
請求項１記載のフットライト付き手摺において、上記フットライトを形成するレンズ表面側に半月状の遮光マスキングを設けるようにした構成からなることを特徴とするフットライト付き手摺。
【請求項３】
請求項１または請求項２記載のフットライト付き手摺において、上記手摺用部材の横断面形態を開断面形態からなるようにした構成からなることを特徴とするフットライト付き手摺。
【請求項４】
請求項１ないし請求項３記載のフットライト付き手摺において、上記手摺用部材の下側に設けられる孔部をバーリング加工手段にて形成させるようにした構成からなることを特徴とするフットライト付き手摺。
【請求項５】
請求項１ないし請求項３記載のフットライト付き手摺において、上記手摺用部材を、ロール成形手段にて横断面形状が略Ｃ字状に形成された型部材、当該型部材のＣ字状横断面部内に押出成形手段を介して設けられるものであってプラスチック材からなるベース部材、及び当該ベース部材の上記型部材の存する側とは反対の側に設けられるものであって金属製部材を含む不透明体からなるストリップ状部材からなるようにした構成からなることを特徴とするフットライト付き手摺。
【発明の詳細な説明】
【技術分野】
【０００１】
本発明は、階段等において歩行者の安全性確保のために設けられる手摺りに関するものであり、特に、照明用ランプを形成するフットライトを有するフットライト付きの手摺に関するものである。具体的には、ロール成形手段にて形成される金属製型材及び押出成形手段等にて形成されるプラスチック製部材との複合体からなる長尺物からなる手摺用部材を基礎に、当該手摺用部材の長手方向適宜個所に足元照明用のランプを設けるようにしたフットライト付きの手摺に関するものである。
【背景技術】
【０００２】
従来のこの種々のものとしては、例えば中空部材内に光ファイバーを配するとともに、この光ファイバーを介して上記中空部材に設けられた開口部から外部に光を照射させるようにしたものとして、特開平１１−１１７４８３号公報記載のものが挙げられる。また、中空部材からなるものであってその表面に設けられた複数の開口穴のところに設けられた発光ダイオードを適宜点灯させるようにしたものとして特開２００４−２７３１４８号公報記載のものが挙げられる。更には、中実状部材の表面側に、その長手方向に沿って溝を設けるとともに、当該溝内へ複数のランプを設け、これらのランプを点灯させるようにしたものとして、例えば実公平７−２３４６６号公報記載のもの等が挙げられる。
【特許文献１】特開平１１−１１７４８３号公報
【特許文献２】特開２００４−２７３１４８号公報
【特許文献３】実公平７−２３４６６号公報
【発明の開示】
【発明が解決しようとする課題】
【０００３】
ところで、上記従来のもの、例えば特開平１１−１１７４８３号公報記載のものは、長手方向に配された光ファイバーの、その一端側に設けられた光源からの光を上記光ファイバーの長手方向に伝播させるとともに、その光を中空部材に設けられた各開口部から外部へ照射させるようにしているものである。従って、各開口部から照射される光の量は光源から遠ざかるに従って弱くなり、フットライトとしては機能が不充分であると言わざるを得ない。また、特開平２００４−２７３１４８号公報記載のものは、中空部材内に各光源が個別に設置されるようになっているものであり、消耗品である光源の取替え交換作業が容易ではないと言う問題点がある。更には実公平７−２３４６６号公報記載のものは、金属製中実部材への溝切り加工等、製造コストが高くならざるを得ないと言う問題点がある。このような問題点を解決するために、ロール成形手段にて形成される型部材及び押出成形手段によって形成されるプラスチック製ベース部材からなる複合材を基礎に長尺物部材を形成させ、このような長尺物部材の適宜個所に照明用のＬＥＤユニットを設けるようにした構成からなる安全性及び機能性に優れたフットライト付きの手摺を提供しようとするのが、本発明の目的（課題）である。
【課題を解決するための手段】
【０００４】
上記課題を解決するために、本発明においては次のような手段を講ずることとした。すなわち、請求項１記載の発明である第一の発明においては、長尺物からなる手摺用部材を基礎に形成されるものであって、その下側の適宜個所に複数のフットライトを有するフットライト付き手摺に関して、上記手摺用部材の下側に孔部を設けるとともに、当該孔部のところに、ＬＥＤを初めとした発光体及び当該発光体を保護するカバーからなるフットライトを、上記カバーを介して脱着可能なように取り付けるようにした構成を採ることとした。
【０００５】
また、請求項２記載の発明である第二の発明においては、請求項１記載のフットライト付き手摺に関して、上記フットライトを形成するレンズ表面側に半月状の遮光マスキングを設けるようにした構成を採ることとした。
【０００６】
また、請求項３記載の発明である第三の発明においては、請求項１または請求項２記載のフットライト付き手摺に関して、上記手摺用部材の横断面形態を開断面形態からなるようにした構成を採ることとした。
【０００７】
また、請求項４記載の発明である第四の発明においては、請求項１ないし請求項３記載のフットライト付き手摺に関して、上記手摺用部材の下側に設けられる孔部をバーリング加工手段にて形成させるようにした構成を採ることとした。
【０００８】
また、請求項５記載の発明である第五の発明においては、請求項１ないし請求項３記載のフットライト付き手摺に関して、上記手摺用部材を、ロール成形手段にて横断面形状が略Ｃ字状に形成された型部材、当該型部材のＣ字状横断面部内に押出成形手段を介して設けられるものであってプラスチック材からなるベース部材、及び当該ベース部材の上記型部材の存する側とは反対の側に設けられるものであって金属製部材を含む不透明体からなるストリップ状部材からなるようにした構成を採ることとした。
【発明の効果】
【０００９】
第一の発明によれば、長尺物部材からなる手摺の下側には適宜間隔を有した状態でＬＥＤユニットを主に形成されるフットライトが設けられるようになっていることより、歩行者にとっては上記フットライトの光により足元が照らされることとなる。特に、本発明のものにおいては、フットライトがＬＥＤユニットを主に形成されるようになっていることより、当該ＬＥＤユニットは、広角に、具体的には約１２０°の開き角度をもって広い範囲を照射することができるようになっている。従って、本発明のものにおいては、歩行者に対してより安全性が高められることとなる。また、ＬＥＤユニット及びＬＥＤカバーからなるフットライトを、ＬＥＤカバーを介して脱着可能なように取付けるようにしたことより、ＬＥＤカバーを手摺本体に取付けたままの状態でＬＥＤユニットのみを取外すことができるようになり、消耗品であるＬＥＤユニットの交換作業を簡単に行なうことができるようになる。
【００１０】
また、第二の発明によれば、上記フットライトを形成するレンズの表面側には半月状の遮光マスキングが設けられるようになっているので、この遮光マスキングを適宜操作することによって、光の照射方向を調整することができるようになり、足元の照明を、常に最適な状態に保持することができるようになる。
【００１１】
また、第三の発明によれば、手摺用部材の横断面形態を開断面形態からなるようにしたので、フットライトへの電力供給に寄与する電源ケーブル等を上記手摺用部材内へ簡単に収納することができるようになり、電源ケーブルの設置あるいは収納等を、効率良く、かつ、円滑に行なうことができるようになる。また、手摺用部材の横断面形態を開断面形態からなるようにしたので、孔部の形成を、この開断面部を介して行なうことができるようになり、その作業を比較的簡単に行なうことができるようになる。
【００１２】
また、第四の発明によれば、手摺用部材の横断面形態が開断面形態からなるようにするとともに、手摺本体に設けられる孔部をバーリング加工手段を介して形成させるようにしたので、上記孔部の形成によって生ずるおそれのある手摺本体の剛性低下を、これによって補うことができるようになる。
【００１３】
また、第五の発明によれば、本手摺の基礎を成す手摺用部材を、略Ｃ字状の横断面形態を有する型部材と、当該型部材のＣ字状横断面部内に設けられるものであって所定のプラスチック材からなるベース部材とにて形成される複合材からなるようにしたので、手摺用部材を安価に製造することができるようになり、延いては本手摺り全体を安価に製造することができるようになる。また、上記手摺用部材を、例えばステンレススチール製のストリップ材を基礎に、これをロール成形手段を介して略Ｃ字状の横断面形態を有するように成形し、このような型部材のＣ字状横断面部内へ押出成形手段を用いて所定のプラスチック材を充填してベース部材を形成させ、更に、このようにして形成されたベース部材の上面部のところに、所定の細長状ストリップ状部材を接着手段等を介して設けることによって、横断面形状が全体的に横長状の楕円形を有する手摺用部材が効率良く形成されることとなる。すなわち、製造コストの低減化された手摺用部材が形成されることとなる。そして、このような長尺物部材からなる手摺用部材を手摺りとして使用することによって、歩行者等にとっては、掴み勝手の良い手摺りが提供されることとなり、歩行者等にとっては安全性の確保が図られることとなる。
【発明を実施するための最良の形態】
【００１４】
本発明を実施するための最良の形態について、図１ないし図３を基に説明する。本実施の形態に関するものは、図１に示す如く、例えばステンレススチール製等のストリップ材がロール成形手段を介してＣ字状の横断面形態を有するように成形加工されることによって形成される型部材１１と、このような型部材１１のＣ字状横断面部内へ押出成形手段またはインジェクション成形手段等を介して所定のプラスチック材が充填されることによって形成されるベース部材１２と、このようにして形成されたベース部材１２の上面部のところに接着手段等を介して設けられるものであって不透明体からなるストリップ状部材１３と、からなる長尺物の手摺用部材１を基礎に形成されるようになっているものである。
【００１５】
そして、このような構成からなる手摺用部材１を形成する型部材１１の外側の面、すなわち、Ｃ字状横断面形態を有する型部材１１の外側であって下面側のところには、ＬＥＤにて形成されるフットライト２が設けられるようになっている。そして、このフットライト２は、上記Ｃ字状横断面形状の型部材１１の、その長手方向に等間隔状に複数個設けられるようになっているものである。このような基本構成からなる本手摺用部材１の、その全体的な横断面形状は横長状の楕円形を形成するようになっているものである。このような横断面形態を有するものが、例えば図２に示す如く、長手方向に長く形成され、手摺用部材１が形成されるようになっている。そして、このような長尺物からなる手摺用部材１を基礎に形成される本手摺りは、歩行者等にとって掴み勝手の良いものとなり、歩行者等の安全性が確保されるようになる。
【００１６】
また、本実施の形態のものにおいては、上記ストリップ状部材１３は、例えば図１に示すように、その横断面形態において、ほぼ左右対称形をなすように３枚設けられるようになっているが、必ずしもこのような形態に限定されるものではない。また、本ストリップ状部材１３は、２枚あるいは４枚等からなるものであっても良い。また、必ずしも対称形をなすように設置されるものでなくとも良い。要は、横断面形態が全体的に平べったい形状の楕円形をなすようなものであれば良い。このような楕円形を形成させることによって、例えば、図２に示す如く、歩行者９にとって掴み勝手の良い手摺りが形成されることとなる。なお、このようなストリップ状部材１３としては、本実施の形態においては、ステンレススチールを初めとした金属製部材が採用されるようになっているが、この外に、不透明なプラスチック製プレート等であっても良いし、場合によっては、その表面側に化粧用のシート４あるいはフィルム４等を貼り付けるようにしたものであっても良い（図１参照）。
【００１７】
次に、上記構成からなるベース部材１２は、所定のプラスチック材を基礎に形成されるものであって、主に押出成形手段にて棒状に成形加工されるものである。本実施の形態においては、予めＣ字状にロール成形された型部材１１のＣ字状空間部内へ、押出成形加工手段を用いて所定のプラスチック材を充填し、これによって型部材１１とベース部材１２とを押出成形加工と同時に一体化させることが考えられる。なお、このような構成からなるベース部材１２と上記型部材１１及びストリップ状部材１３との係合関係は、例えば図１に示す如く、それぞれの部材１１、１３の横断面形状端末部を上記ベース部材１２の一部に食い込ませるようにしても良い。このような構成を採ることによって、Ｃ字状の型部材１１を基礎にして、その周りにストリップ状部材１３を配置した状態で上記空間部内へ所定のプラスチック材を押出し注入することによって、ベース部材１２を中心にして周りに型部材１１及びストリップ状部材１３を有する長尺物からなる手摺用部材１が接着材を介さずに一体的に形成されることとなる。
【００１８】
なお、本ベース部材１２として用いられるプラスチック材に関しては、その硬度は特に限定されるものではないが、本ベース部材１２が手摺りとして利用される場合、あるいは本ベース部材１２が屈曲成形されて用いられる場合等においては、掴み勝手の良さ、あるいは曲げ成形加工の容易さ等を考慮して、硬度の低い軟質プラスチック材が用いられる場合がある。更には、本ベース部材１２に上記の如く軟質プラスチック材が採用された場合には、ベース部材１２に設けられた空洞部１５の作用と相まって、ベース部材１２全体が柔かく撓み、歩行者等が手で掴んだ際に手に柔かい感じを与えるとともに、手になじむようになる。
【００１９】
また、本実施の形態においては、本手摺用部材１を形成する上記ベース部材１２を透明性のある素材にて形成させるとともに、その一部に、例えば図１及び図２に示すような空洞部１５を設けるようにしたものが挙げられる。そして、このようにして形成された空洞部１５内へ、図１ないし図３に示す如く、例えば光ファイバー等からなるものであって、ＬＥＤ等の発光体にて発せられた光を誘導するように形成された光誘導体５を設置するようにすることも考えられる。これによって、照明機能を発揮する手摺が形成されることとなる。
【００２０】
具体的には、例えば図１ないし図３に示す如く、ベース部材１２の上方部に設けられる各ストリップ状部材１３、１３の間には隙間１９、１９が設けられるようになっているので、この隙間１９を介して上記光誘導体５からの光は直接上方へは照射されず、もっぱら横方向あるいは下方へと照射されることとなる（図１及び図２の矢印図示参照）。その結果、歩行者９等にとっては、直接光が目に入らず、間接光が目に入るようになる。従って、このような長尺物部材からなる本手摺においては、補助的な照明装置として利用されるとともに、全体として淡い光を発するディスプレイ手段としての機能も発揮されるようになり、優れた美感を呈することとなる。
【００２１】
次に、このような構成からなる手摺用部材１の下面側に設けられるフットライト２の、その構成（構造）等について、図１及び図２等を基に説明する。このものは、例えば図２に示す如く、手摺用部材１の下面側に、その長手方向に所定の間隔を有した状態で複数個設けられるようになっているものである。そして更に、このものは、例えば図１に示す如く、ステンレススチール製等の金属製素材からなるケース２５を基礎に形成されるようになっているものである。そして、このような金属製のケース２５の一部にはネジ部２９が設けられるようになっており、このネジ部２９を介して、本フットライト２は上記手摺用部材１を形成する型部材１１の外面側に設けられたバーリング成形部におけるネジ部のところに取付けられるようになっているものである。
【００２２】
具体的には、本フットライト２は、図１に示す如く、ボックス状のケース２５を基礎にして、その内部にベース２８が設けられ、このベース２８のところにＬＥＤ等からなる発光体２１が設けられるようになっているものである。そして、この発光体（ＬＥＤ素子）２１の前面側には透明体２２が設けられるとともに、この透明体２２の表面側には、本透明体２２の一部を覆うように形成された遮光板２３が設けられるようになっている（図１及び図３参照）。そして、この遮光板２３を操作することによって、上記発光体２１からの光の照射方向等を変えることができるようになっているものである。そして更に、このような透明体２２及び遮光板２３等はスナップリング２４を介して上記ケース２５の前端部のところに取付けられるようになっているものである。
【００２３】
このような構成を採ることによって、本実施の形態のものにおいては、意匠性に優れているとともに、フットライトとしての機能を具備する手摺りが、ロール成形手段及び押出成形手段を介して効率良く形成（製造）されるようになり、安全性に優れたフットライト付き手摺が安価に提供されることとなる。
【図面の簡単な説明】
【００２４】
【図１】本発明の全体構成を示す横断面図である。
【図２】本発明にかかる手摺の掴み勝手の良さ等を示す斜視図である。
【図３】本発明にかかる手摺用部材の下面側に設けられるフットライトを下方側のＡ矢印方向から見た状態を示す図である。
【符号の説明】
【００２５】
１  手摺用部材
１１  型部材
１２  ベース部材
１３  ストリップ状部材
１５  空洞部
１９  隙間
２  フットライト
２１  発光体（ＬＥＤ素子）
２２  透明体
２３  遮光板
２４  スナップリング
２５  ケース
２８  ベース
２９  ネジ部
４  化粧シート（化粧フィルム）
５  光誘導体
９  歩行者
【図１】
2010053580.tif 000003
【図２】
2010053580.tif 000004
【図３】
2010053580.tif 000005